【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
放送番組の映像データを受信する第１及び第２の受信手段と、
前記第１及び第２の受信手段で受信した映像データを記録可能な記録部と、
前記第１の受信手段で受信している映像データが、第１のチャンネルで放送される継続元の番組と第２のチャンネルで放送される継続先の番組とで構成され、前記第１のチャンネルと前記第２のチャンネルとで連続して放送されるイベントリレーの番組の映像データであるか否かを判別する判別手段と、
前記第１の受信手段で前記第１のチャンネルの映像データを受信して前記記録部に記録する場合に、前記判別手段により前記第１のチャンネルの映像データが前記イベントリレーの番組の映像データであると判別された場合、前記継続元の番組の終了時刻よりも前に、前記第２の受信手段で前記第２のチャンネルの映像データを受信して前記記録部に記録するように制御する制御手段と、を備える番組記録装置。
【請求項２】
さらに、前記第１の受信手段で受信された前記第１のチャンネルの画像を一時的に蓄積する第１のバッファと、
前記第２の受信手段で受信された前記第２のチャンネルの画像を一時的に蓄積する第２のバッファと、
前記第１のバッファに蓄積された画像と前記第２のバッファに蓄積された画像とを比較する比較手段と、
前記比較手段による比較結果に基づいて、互いに一致する２つの画像を特定する特定手段とを備え、
前記制御手段は、前記第１のチャンネルの映像データと前記第２のチャンネルの映像データとが、前記特定手段により特定された２つの画像で繋がって前記記録部に記録され
ように制御する、請求項１に記載の番組記録装置。
【請求項３】
前記特定手段は、前記比較手段により比較された２つの画像の一致率が予め定められた基準値よりも高い場合に、前記互いに一致する２つの画像として特定する、請求項２に記載の番組記録装置。
【請求項４】
前記比較手段は、前記第１のバッファに蓄積された複数のフレームの画像のうち、前記継続元の番組の終了時刻に対応するフレームの画像から順に所定の間隔で時間的に遡って比較する、請求項２に記載の番組記録装置。
【請求項５】
さらに、前記比較手段により比較された２つの画像の一致率が予め定められた基準値よりも高い場合に、該比較された２つの画像が前記イベントリレーの番組の画像であると判定する判定手段を備え、
前記特定手段は、前記判定手段により前記イベントリレーの番組の画像であると判定された場合に、前記互いに一致する２つの画像を特定する動作を行う、請求項２に記載の番組記録装置。
【請求項６】
さらに、前記記録部に記録された前記第１のチャンネルの映像データ及び前記第２のチャンネルの映像データを再生する再生制御手段と、
前記再生制御手段により再生された前記第１のチャンネルの画像を一時的に蓄積する第１のバッファと、
前記再生制御手段により再生された前記第２のチャンネルの画像を一時的に蓄積する第２のバッファと、
前記第１のバッファに蓄積された画像と前記第２のバッファに蓄積された画像とを比較する比較手段と、
前記比較手段による比較結果に基づいて、互いに一致する２つの画像を特定する特定手段とを備え、
前記制御手段は、前記第１のチャンネルの映像データと前記第２のチャンネルの映像データとが、前記特定手段により特定された２つの画像で繋がって前記記録部に記録されるように制御する、請求項１に記載の番組記録装置。
【請求項７】
さらに、前記第１の受信手段で受信された前記第１のチャンネルの映像データの画素数と、前記第２の受信手段で受信された前記第２のチャンネルの映像データの画素数とが異なる場合に、いずれか一方の受信手段で受信された映像データの画素数を変換する画素変換手段を備える、請求項１に記載の番組記録装置。
【請求項８】
第１の受信部で第１のチャンネルの映像データを受信して記録部に記録する記録ステップと、
前記第１の受信部で受信している映像データが、第１のチャンネルで放送される継続元の番組と第２のチャンネルで放送される継続先の番組とで構成され、前記第１のチャンネルと前記第２のチャンネルとで連続して放送されるイベントリレーの番組の映像データであるか否かを判別する判別ステップと、
前記判別ステップにより前記第１のチャンネルの映像データが前記イベントリレーの番組の映像データであると判別された場合、前記継続元の番組の終了時刻よりも前に、前記第２の受信手段で前記第２のチャンネルの映像データを受信して前記記録部に記録するように制御する制御ステップと、を含む番組記録装置の制御方法。
【請求項９】
さらに、前記第１の受信部で受信された前記第１のチャンネルの画像を第１のバッファに一時的に蓄積し、前記第２の受信部で受信された前記第２のチャンネルの画像を第２のバッファに一時的に蓄積するバッファステップと、
前記第１のバッファに蓄積された画像と前記第２のバッファに蓄積された画像とを比較する比較ステップと、
前記比較ステップの比較結果に基づいて、互いに一致する２つの画像を特定する特定ステップと、
前記継続元の番組と前記継続先の番組とが、前記特定ステップで特定された２つの画像で繋がって前記記録部に記録されるように制御する制御ステップとを含む、請求項８に記載の制御方法。
【請求項１０】
前記特定ステップにおいて、前記比較ステップで比較された２つの画像の一致率が予め定められた基準値よりも高い場合に、前記互いに一致する２つの画像として特定する、請求項９に記載の制御方法。
【請求項１１】
前記比較ステップにおいて、前記第１のバッファに蓄積された複数のフレームの画像のうち、前記継続元の番組の終了時刻に対応するフレームの画像から時間的に遡って比較する、請求項９に記載の制御方法。
【請求項１２】
さらに、前記比較ステップで比較された２つの画像の一致率が予め定められた基準値よりも高い場合に、該比較された２つの画像が前記イベントリレーの番組の画像であると判定する判定ステップを備え、
前記判定ステップで前記イベントリレーの番組の画像であると判定された場合に、前記特定ステップで、前記互いに一致する２つの画像を特定する動作を行う、請求項９に記載の制御方法。
【請求項１３】
さらに、前記記録部に記録された前記第１のチャンネルの映像データ及び前記第２のチャンネルの映像データを再生する再生制御ステップと、
前記再生制御ステップで再生された前記第１のチャンネルの画像を第１のバッファに一時的に蓄積し、前記再生制御ステップで再生された前記第２のチャンネルの画像を第２のバッファに一時的に蓄積するバッファステップと、
前記第１のバッファに蓄積された画像と前記第２のバッファに蓄積された画像とを比較する比較ステップと、
前記比較ステップの比較結果に基づいて、互いに一致する２つの画像を特定する特定ステップと、
前記再生制御ステップで再生された前記継続元の番組と前記継続先の番組とが、前記特定ステップで特定された２つの画像で繋がって前記記録部に記録されるように制御する制
御ステップとを含む、請求項８に記載の制御方法。
【請求項１４】
さらに、前記第１の受信部で受信された前記第１のチャンネルの映像データの画素数と、前記第２の受信部で受信された前記第２のチャンネルの映像データの画素数が異なる場合に、いずれか一方の受信部で受信された映像データの画素数を変換する画素変換ステップを含む、請求項８に記載の制御方法。
【手続補正２】
【補正対象書類名】明細書
【補正対象項目名】００１１
【補正方法】変更
【補正の内容】
【００１１】
上述した課題を解決するために、本発明に係る番組記録装置は、放送番組の映像データを受信する第１及び第２の受信手段と、第１及び第２の受信手段で受信した映像データを記録可能な記録部と、第１の受信手段で受信している映像データが、第１のチャンネルで放送される継続元の番組と第２のチャンネルで放送される継続先の番組とで構成され、第１のチャンネルと第２のチャンネルとで連続して放送されるイベントリレーの番組の映像データであるか否かを判別する判別手段と、第１の受信手段で第１のチャンネルの映像データを受信して記録部に記録する場合に、判別手段により第１のチャンネルの映像データがイベントリレーの番組の映像データであると判別された場合、継続元の番組の終了時刻よりも前に、第２の受信手段で第２のチャンネルの映像データを受信して記録部に記録するように制御する制御手段と、を備える。
【手続補正３】
【補正対象書類名】明細書
【補正対象項目名】００１２
【補正方法】変更
【補正の内容】
【００１２】
また、本発明に係る番組記録装置の制御方法は、第１の受信部で第１のチャンネルの映像データを受信して記録部に記録する記録ステップと、第１の受信部で受信している映像データが、第１のチャンネルで放送される継続元の番組と第２のチャンネルで放送される継続先の番組とで構成され、第１のチャンネルと第２のチャンネルとで連続して放送されるイベントリレーの番組の映像データであるか否かを判別する判別ステップと、判別ステップにより第１のチャンネルの映像データがイベントリレーの番組の映像データであると判別された場合、継続元の番組の終了時刻よりも前に、第２の受信手段で第２のチャンネルの映像データを受信して記録部に記録するように制御する制御ステップと、を含む。